(57)【要約】【課題】  タッチペンなどの入力手段（入力装置）を備えた写真撮影装置において、前記入力手段の盗難、紛失などを防止するとともに、前記入力手段の操作性の向上を図る。【解決手段】  ユーザを撮影するカメラと、カメラにより撮影した画像に対してユーザが編集画像の入力操作を行うためのタッチペン１９と、撮影した画像を表示してタッチペン１９による入力操作を受け付けるタブレットディスプレイと、タブレットディスプレイを収容する編集側筐体とタッチペン１９とを接続するワイヤ２１とを備える写真撮影装置において、タッチペン１９は、ワイヤ２１の一端側がタッチペン１９の内部から掛かり合うことで、ワイヤ２１と接続されている。【選択図】図３
2007172111.tif 000002
【特許請求の範囲】
【請求項１】
ユーザを撮影する撮影手段と、前記撮影手段により撮影した画像に対して前記ユーザが編集画像の入力操作を行うための入力手段と、前記撮影した画像を表示して前記入力手段による入力操作を受け付ける受付手段と、前記受付手段の近傍の筐体と前記入力手段とを接続する接続手段とを備える写真シール作成装置において、前記入力手段は、前記接続手段の一端側が前記入力手段の内部から掛かり合うことで、前記接続手段と接続されていることを特徴とする写真シール作成装置。
【請求項２】
接続手段の一端側は、入力手段とは縁切りされて相対回転が可能な状態で、前記入力手段に接続されていることを特徴とする請求項１記載の写真シール作成装置。
【請求項３】
入力手段はペン形状であり、その端部に軸方向の貫通孔が形成され、前記貫通孔に接続手段の一端側が通され、前記接続手段の一端側には、前記貫通孔の縁に接触する接触手段が設けられていることを特徴とする請求項１または２記載の写真シール作成装置。
【請求項４】
入力手段はペン形状であり、ペン先側の一端部とペン尻側の他端部とが、前記入力手段の軸周り方向に対して互いに縁切りされており、接続手段の一端側は、前記入力手段における他端部に接続されていることを特徴とする請求項１または２記載の写真シール作成装置。
【請求項５】
ユーザを撮影し、撮影したユーザの画像を表示して、前記ユーザから前記撮影画像に対する編集画像の入力を受け付ける写真シール作成装置に用いられる入力装置であって、接続手段を介して前記写真シール作成装置に接続されるとともに、前記接続手段の一端側が内部から掛かり合うことによって前記接続手段と接続されていることを特徴とする写真シール作成装置用の入力装置。
【請求項６】
接続手段の一端側が縁切りされて相対回転が可能な状態で接続されていることを特徴とする請求項５記載の写真シール作成装置用の入力装置。
【請求項７】
ペン形状で、その端部に軸方向の貫通孔が形成され、前記貫通孔に接続手段の一端側が通され、前記接続手段の一端側に設けられた接触手段が、前記貫通孔の縁に接触することを特徴とする請求項５または６記載の写真シール作成装置用の入力装置。
【請求項８】
ペン形状で、ペン先側の一端部とペン尻側の他端部とが、軸周り方向に対して互いに縁切りされており、接続手段の一端側が前記他端部に接続されていることを特徴とする請求項５または６記載の写真シール作成装置用の入力装置。
【発明の詳細な説明】
【技術分野】
【０００１】
本発明は、写真シール作成装置および写真シール作成装置用の入力装置に関する。
【背景技術】
【０００２】
アミューズメント施設等に設置され、設けられた撮影ブース内において被写体（ユーザ）を自動的に撮影し、撮影ブースとは異なる編集ブースにおいて、ユーザから撮影画像に対してされる編集入力を受け付け、撮影した撮影画像と受け付けた編集画像とを合成して印刷用画像を作成し、この印刷用画像をシール等の印刷媒体に印刷して提供する写真シール作成装置があることは広く知られている。
【０００３】
ユーザから撮影画像に対してされる編集入力は、一般には、撮影画像が表示されているタブレットディスプレイに対して、ユーザがタッチペンにより描き込み等を行うことで受け付けられている。
【０００４】
このようなタッチペンおよびタブレットディスプレイにおける指定位置の検出方法としては、電磁誘導方式、感圧方式、静電容量方式などがあり、その方式の違いによって、タッチペンとタブレットディスプレイとがケーブルなど電線により電気的に接続されていないものと、電気的に接続されているもの（例えば特許文献１参照）とがある。
【０００５】
上記のタッチペンとタブレットディスプレイとがケーブルなどの電線により電気的に接続されていない場合、タッチペンの盗難、紛失などが生じるおそれがある。このように、タッチペンの盗難や紛失が発生すると、次のユーザが編集入力できなくなってしまうため、この対策として、図６に示すように、タッチペン１００と、タブレットディスプレイ１０１が収納されている筐体１０２とを、ワイヤ１０３などで接続し、盗難、紛失などが発生しないようにしている。このようにワイヤ１０３を用いて接続する場合には、タッチペン１００のペン尻に設けられた取付孔１００ａにワイヤ１０３の一端側を通し、この一端側とワイヤ１０３とを結束部材１０４により固定している。また、上記のケーブルより細めのワイヤ１０３を使用することで、タッチペン１００で描き込みを行うときの抵抗が小さくなるようにし、タッチペン１００の操作性の向上が図られている。このような、タッチペン１００とワイヤ１０３との接続構造の例として、例えば特許文献２に示すようなものがある。
【特許文献１】特開２００４−３３４４８７号公報
【特許文献２】特開２００２−３２１８７号公報
【発明の開示】
【発明が解決しようとする課題】
【０００６】
しかしながら、図６に示したように、タッチペン１００と、タブレットディスプレイ１０１が収容されている筐体１０２とを、上記のケーブルより細めのワイヤ１０３などで接続しても、細いワイヤ１０３等はハサミなどで簡単に切断されるため、悪質ないたずらには対応することができない。しかしながら、これよりも太めのワイヤを採用すると、図６に示した接続構造ではワイヤ１０３自体がかさばるため接続が困難であり、またペン尻側に重心が移ってしまう。加えて、ワイヤ１０３の剛性も大きくなるため、タッチペン１００で描き込みを行うときの抵抗が大きくなり、タッチペン１００の操作性が悪くなってしまう。
【０００７】
そこで本発明はこのような問題を解決して、タッチペンなどの入力手段（入力装置）を備えた写真シール作成装置において、前記入力手段の盗難、紛失などを防止するとともに、前記入力手段の操作性の向上を図ることを目的とする。
【課題を解決するための手段】
【０００８】
上記課題を解決するために請求項１記載の発明は、ユーザを撮影する撮影手段と、前記撮影手段により撮影した画像に対して前記ユーザが編集画像の入力操作を行うための入力手段と、前記撮影した画像を表示して前記入力手段による入力操作を受け付ける受付手段と、前記受付手段の近傍の筐体と前記入力手段とを接続する接続手段とを備える写真シール作成装置において、前記入力手段は、前記接続手段の一端側が前記入力手段の内部から掛かり合うことで、前記接続手段と接続されているものである。
【０００９】
このような構成によると、接続手段と入力手段とが、入力手段の内部において掛かり合うように接続されているため、例えば入力手段の外部において、入力手段と接続手段とを接続するような構造に比べて、比較的に太い接続手段を用いることができる。したがって、接続手段が切断されるようないたずらの発生を防止することができる。また、接続手段がワイヤ等であれば、接続箇所においてワイヤがかさばることを防止でき、入力手段の操作性の向上を図ることができる。また、接続構造も簡素化されるため、ユーザに対して好印象を与えることができる。
【００１０】
請求項２記載の発明は、請求項１記載の写真シール作成装置において、接続手段の一端側は、入力手段とは縁切りされて相対回転が可能な状態で、前記入力手段に接続されているものである。
【００１１】
このような構成によると、接続手段の一端側が入力手段とは縁切りされて相対回転が可能な状態であるので、入力手段の操作に対して接続手段が共回りすることを防止することができ、接続手段が入力手段の操作時に邪魔にならず、入力手段の操作性をいっそう向上させることができる。
【００１２】
請求項３記載の発明は、請求項１または２記載の写真シール作成装置において、入力手段はペン形状であり、その端部に軸方向の貫通孔が形成され、前記貫通孔に接続手段の一端側が通され、前記接続手段の一端側には、前記貫通孔の縁に接触する接触手段が設けられているものである。
【００１３】
このような構成によると、接触手段が貫通孔の縁に接触することで、接続手段が入力手段から外れてしまうことを防止することができ、すなわち入力手段と接続手段との接続構造を単純にすることができ、比較的に低コストで、接続手段と入力手段とを良好に接続することができる。
【００１４】
請求項４記載の発明は、請求項１または２記載の写真シール作成装置において、入力手段はペン形状であり、ペン先側の一端部とペン尻側の他端部とが、前記入力手段の軸周り方向に対して互いに縁切りされており、接続手段の一端側は、前記入力手段における他端部に接続されているものである。
【００１５】
このような構成によると、入力手段の一端部と他端部とが、軸周り方向に対して互いに縁切りされており、接続手段の一端側は、前記入力手段における他端部に接続されているので、入力手段の操作時に一端部と他端部とが共回りせず、接続手段が入力手段の操作時に邪魔にならないので、入力手段の操作性を向上させることができる。
【００１６】
請求項５記載の発明は、ユーザを撮影し、撮影したユーザの画像を表示して、前記ユーザから前記撮影画像に対する編集画像の入力を受け付ける写真シール作成装置に用いられる入力装置であって、接続手段を介して前記写真シール作成装置に接続されるとともに、前記接続手段の一端側が内部から掛かり合うことによって前記接続手段と接続されているものである。
【００１７】
このような構成によると、接続手段と内部において掛かり合うように接続されているため、例えば入力装置の外部において接続手段と接続されるような構造に比べて、比較的に太い接続手段を用いることができる。したがって、接続手段が切断されるようないたずらの発生を防止することができる。また、接続手段がワイヤ等であれば、接続箇所においてワイヤがかさばることを防止でき、入力装置の操作性の向上を図ることができる。
【００１８】
請求項６記載の発明は、請求項５記載の写真シール作成装置用の入力装置において、接続手段の一端側が縁切りされて相対回転が可能な状態で接続されているものである。
【００１９】
このような構成によると、接続手段とは縁切りされて相対回転が可能な状態であるので、入力装置の操作時に、接続手段が共回りすることを防止し、接続手段が入力装置の操作時に邪魔にならないので、入力装置の操作性をいっそう向上させることができる。
【００２０】
請求項７記載の発明は、請求項５または６記載の写真シール作成装置用の入力装置において、ペン形状で、その端部に軸方向の貫通孔が形成され、前記貫通孔に接続手段の一端側が通され、前記接続手段の一端側に設けられた接触手段が、前記貫通孔の縁に接触するものである。
【００２１】
このような構成によると、接触手段が貫通孔の縁に接触することで、接続手段が入力装置から外れてしまうことを防止することができ、すなわち接続手段との接続構造を単純にすることができ、比較的に低コストで、接続手段と入力装置とを良好に接続することができる。
【００２２】
請求項８記載の発明は、請求項５または６記載の写真シール作成装置用の入力装置において、ペン形状で、ペン先側の一端部とペン尻側の他端部とが、軸周り方向に対して互いに縁切りされており、接続手段の一端側が前記他端部に接続されているものである。
【００２３】
このような構成によると、入力装置の一端部と他端部とが、軸周り方向に対して互いに縁切りされており、接続手段の一端側は、前記他端部に接続されているので、入力装置の操作時に一端部と他端部とが共回りせず、接続手段が入力手段の操作時に邪魔にならないので、入力装置の操作性を向上させることができる。
【発明の効果】
【００２４】
以上のように本発明によれば、タッチペンなどの入力手段（入力装置）を備えた写真シール作成装置において、前記入力手段の盗難、紛失などを防止するとともに、前記入力手段の操作性の向上を図ることができる。
【発明を実施するための最良の形態】
【００２５】
本発明の実施の形態の写真シール作成装置１を、図１〜図５を参照しながら説明する。図１は、本発明の実施の形態の写真シール作成装置１の側面図、図２は、入力手段（入力装置）としてのタッチペン１９と、接続手段としてのワイヤ２１とが接続されている様子を示す斜視図、図３〜図５は、タッチペン１９とワイヤ２１との接続構造の例を示す図である。
【００２６】
図１に示すように、写真シール作成装置１は、被写体を撮影する撮影手段であるカメラ２を備えるとともに種々の処理および制御を行う機器を備える撮影側筐体３と、この撮影側筐体３におけるカメラ２と対向する位置に距離を置いて設けられている背景ユニット４と、撮影側筐体３と背景ユニット４の上部に左右一対の天井フレーム５が架設されて形成される撮影ブース６内に設けられ、被写体であるユーザ７の撮影ポーズの形成を補助する門型のはしご８および移動可能な可動椅子９と、撮影側筐体３の背面に隣接して設けられている編集側筐体１０とを備える。
【００２７】
撮影側筐体３における背景ユニット４に対向する側の面には、カメラ２のほか、図示は省略するが、カメラ２が現在撮影している画像をユーザ７に対してリアルタイムで表示するライブモニタと、ユーザ７からの操作入力を受け付けるとともにデモ画面や撮影操作の手順等をユーザ７に対して表示するタッチパネルディスプレイと、撮影時にユーザ７を照射するための複数のストロボと、コインを投入するためのコイン投入口と、撮影操作時に音声案内やＢＧＭを出力する撮影側スピーカとが設けられている。
【００２８】
さらに、この撮影側筐体３の外部における一方の側面にはプリント取出口１５が設けられ、このプリント取出口１５からは、撮影画像と編集入力した画像とを合成した印刷用画像（編集画像を入力しなかった場合には撮影画像）が撮影側筐体３の内部に収納されたプリンタによってシールシートなどの印刷媒体に印刷されたものが排出される。
【００２９】
背景ユニット４の上部には、撮影時に上下方向に展開されてユーザ７の背景となる複数種類、ここでは３種類の背景カーテン１８ａ〜１８ｃを備えたカーテンユニット１８が設けられている。背景カーテン１８ａ〜１８ｃは、未使用時にはカーテンユニット１８内に巻き取られた状態で収納されている。これらの背景カーテン１８ａ〜１８ｃは、ユーザ７からのタッチパネルディスプレイへの操作を介して指定されたものが、背景ユニット４の壁面に沿って展開される。
【００３０】
一方、編集側筐体１０には、撮影ブース６において撮影した画像を表示して入力手段（入力装置）としてのタッチペン１９によりユーザ７からの編集画像の入力操作を受け付ける受付手段としてのタブレットディスプレイ２０と、編集入力操作時に音声案内やＢＧＭを出力する編集側スピーカとが設けられている。なお、図中においては現れていないが、編集側筐体１０の反対側にも、タッチペン、タブレットディスプレイ、編集側スピーカが設けられており、異なる２組のユーザが、それぞれが撮影した画像に対して同時に編集処理を行うことが可能とされている。また、図１における２２は、撮影ブース６とは異なる箇所に設けられて、ユーザ７が、撮影された画像に対して編集処理を行う編集ブースである。したがって、本実施の形態の写真シール作成装置１は、一つの撮影ブース６と二つの編集ブース２２とを備える三重接客方式を採用している。
【００３１】
図１および図２に示すように、受付手段の近傍の筐体、本実施例の場合ではタブレットディスプレイ２０を収納する編集側筐体１０とタッチペン１９とは、接続手段としてのワイヤ２１で互いに接続されている。なお、上記ではワイヤ２１の端部が接続されるのは、編集側筐体１０としているが、例えば編集側筐体１０から突出した状態に取り付けられてタブレットディスプレイ２０を収納するディスプレイ収納用の筐体であってもよい。要するに、ワイヤ２１におけるタッチペン１９と接続されていない側の端部は、写真シール作成装置の任意の箇所に取り付けられていればそれでよい。タッチペン１９とワイヤ２１との接続構造の例としては、図３〜図５に示すものがある。まず、図３に示す接続構造を説明する。
【００３２】
図３に示すように、タッチペン１９の内側は、軽量化のためや用いる電子基板等を収納するために空洞状であり、タッチペン１９は、ペン先側（一端部）１９ａとペン尻側（他端部）１９ｂとが互いにはめ合わせられて構成されている。なお、このペン先側１９ａとペン尻側１９ｂとの接続構造としては、図示のように互いにはめ合わせて接着剤（バインダ）により固定してもよいし、図示は省略するが、ペン先側１９ａのはめあい箇所におねじ部、ペン尻側１９ｂのはめあい箇所にめねじ部を形成して、ねじ機構により互いを接続、固定してもよい。また、ペン先側１９ａのはめあい箇所の周方向に沿って凸部（または凹部）を形成し、ペン尻側１９ｂのはめあい箇所の周方向に沿って凹部（または凸部）を形成し、前記凸部と凹部とがはまり合う状態で、かつ、互いを軸方向回りに縁切りした状態ではめ合わせる構造でもよい。
【００３３】
ペン尻側１９ｂの端部には、タッチペン１９の軸方向に、ワイヤ２１よりも若干、大径の貫通孔１９ｃが形成され、この貫通孔１９ｃにワイヤ２１の一端側が通されている。この通されたワイヤ２１の一端側には、貫通孔１９ｃの縁にかかり合う接触手段としての止め具２４が取り付けられており、これにより、ワイヤ２１が貫通孔１９ｃから脱落しないようにされている。また、貫通孔１９ｃの口径が、ワイヤ２１の径よりも若干、大きく形成されていることで、タッチペン１９とワイヤ２１とが、軸方向回りに対して縁切りされてタッチペン１９とワイヤ２１とが、タッチペン１９の軸方向回りに対して相対回転が可能とされている。これにより、ユーザ７がタッチペン１９により書き込みを行う際に、タッチペン１９とワイヤ２１とが共回りすることがなく、タッチペン１９の操作性の向上を図ることができる。なお、止め具２４にかえて、ワイヤ２１の一端部に結び目を設けても同様の作用効果を得ることができる。
【００３４】
また、上記のように、形成した貫通孔１９ｃにワイヤ２１を通して、ワイヤ２１の一端側に止め具２４と取り付けた簡単な構造によりタッチペン１９とワイヤ２１とを接続することができるので、例えば図６に示したような、タッチペン１００の外部において、タッチペン１００とワイヤ１０３とを接続するような構造に比べて、比較的に太いワイヤ１０３を用いることができる。したがって、ワイヤ１０３が切断されるようないたずらの発生を防止することができる。また、図３に示す接続構造によれば、ワイヤ２１を折り返すことが無いので、接続箇所においてワイヤ２１がかさばることを防止でき、太目のワイヤ２１の剛性の影響を受けることも無いので、タッチペン１９の操作性の向上を図ることができる。また、図６に示したようなタッチペン１００の外部において接続する構造に比べて、接続構造が外部から見えないため、ユーザに対して高級感を演出することができるとともに、見た目にも簡素化されているので、ユーザに対して好印象を与えることができる。
【００３５】
次に、図４に示す接続構造を説明するが、図３において説明したものと同様のものには、同じ符号を付することでその説明は省略する。図４に示す接続構造では、ワイヤ２１と貫通孔１９ｃとの間に、円筒状のスリーブ部材２３を配置する。このスリーブ部材２３の一端側は、貫通孔１９ｃの縁に接触するテーパ状の大径部２３ａであり、他端側は、貫通孔１９ｃに挿通可能な小径部２３ｂである。
【００３６】
このような接続構造によると、図３に示した接続構造と同様の作用効果を得ることができるが、特に、スリーブ部材２３を設けたことにより、貫通孔１９ｃおよびワイヤ２１を保護することができるとともに、タッチペン１９とワイヤ２１との縁切りをさらに良好に行うことができる。
【００３７】
次に、図５に示す接続構造を説明するが、図３において説明したものと同様のものには、同じ符号を付することでその説明は省略する。図５に示す接続構造では、ワイヤ２１の一端側に鍔部２１ａを設け、この鍔部２１ａをタッチペン１９のペン尻側１９ｂの端部に埋め込む取付構造である。この際には、タッチペン１９のペン先側１９ａとペン尻側１９ｂとは、上述したような互いに縁切りされた取付構造を採用する。また、鍔部２１ａをペン尻側１９ｂに接続する方法としては、ペン尻側１９ｂの成形時に埋め込んでもよいし、ペン尻側１９ｂと鍔部２１ａとをバヨネット構造により取り付けてもよい。
【００３８】
このような接続構造によると、図３、図４に示した接続構造と同様の作用効果を得ることができるが、特に、鍔部２１ａとペン尻側１９ｂに埋め込んだことで、タッチペン１９の操作時において、ユーザが受ける重量感を軽減することができ、タッチペン１９の操作性を向上させることができる。
【００３９】
以上のような構成において、ユーザ７は、撮影ブース６内において、タッチパネルディスプレイ１１を介して好みの背景カーテン１４を選択し、選択した背景カーテン１４を撮影ブース６の壁面に沿って垂下させたうえで、撮影用椅子８を利用するなどして好みの撮影ポーズを形成して写真撮影を行う。
【００４０】
上記のようにして、撮影を行ったユーザ７は、撮影した画像が表示される編集ブース２２に移動し、タッチペン１９を用いて、撮影画像が表示されるタブレットディスプレイ２０に編集入力を行う。そして、編集入力が終わると、クロマキー合成が行われて生成された印刷用画像がシールシート１７に印刷されて排出されるプリント取出口１５に移動し、出力されるシールシート１７を取得して写真シール作成装置１の利用を終了する。
【００４１】
このとき、上記において説明したように、形成した貫通孔１９ｃにワイヤ２１を通して、ワイヤ２１の一端側に止め具２４と取り付けた簡単な構造によりタッチペン１９とワイヤ２１とを接続することができるので、例えば図６に示したような、タッチペン１００の外部において、タッチペン１００とワイヤ１０３とを接続するような構造に比べて、比較的に太いワイヤ１０３を用いることができる。したがって、ワイヤ１０３が切断されるようないたずらの発生を防止することができる。また、図３〜図５に示す接続構造によれば、ワイヤ２１を折り返すことが無いので、接続箇所においてワイヤ２１がかさばることを防止でき、太目のワイヤ２１の剛性の影響を受けることも無いので、タッチペン１９の操作性の向上を図ることができる。
【００４２】
さらに、タッチペン１９とワイヤ２１とが、軸方向回りに対して縁切りされてタッチペン１９とワイヤ２１とが、タッチペン１９の軸方向回りに対して相対回転が可能とされているので、ユーザ７がタッチペン１９により書き込みを行う際に、タッチペン１９とワイヤ２１とが共回りすることがなく、タッチペン１９の操作性の向上を図ることができる。
【００４３】
なお、上記の説明では、接続手段としてワイヤを用いた場合を説明しているが、これに限らず、鋼線、樹脂線、スパイラルコードなどの索状体であればそれでよい。
また、本実施の形態のタッチペン１９としては、内部に電子基板等が収納されて電線で接続されているものでも、収納されていないものでもどちらでもかまわない。電子基板等が収納されて電線で接続されている場合には、タッチペン１９におけるペン先側１９ａと、電子基板および電線側とを上述した縁切り状態にするとよい。
【図面の簡単な説明】
【００４４】
【図１】本発明の実施の形態の写真シール作成装置の側面図である。
【図２】タッチペンとワイヤとが接続されている様子を示す斜視図である。
【図３】タッチペンとワイヤとの接続構造の例を示す図である。
【図４】タッチペンとワイヤとの接続構造の例を示す図である。
【図５】タッチペンとワイヤとの接続構造の例を示す図である。
【図６】従来のタッチペンとワイヤとの接続構造の例を示す図である。
【符号の説明】
【００４５】
２    カメラ
６    撮影ブース
１０    編集側筐体
１９    タッチペン
２０    タブレットディスプレイ
２１    ワイヤ
２２    編集ブース
２４    止め具
【図１】
2007172111.tif 000003
【図２】
2007172111.tif 000004
【図３】
2007172111.tif 000005
【図４】
2007172111.tif 000006
【図５】
2007172111.tif 000007
【図６】
2007172111.tif 000008